(57)【要約】 【課題】  両方向に出射される光量の比率を制御することができる両方向バックライトアセンブリを提供する。【解決手段】  両方向バックライトアセンブリは、光を発生する光源１１０と、光源から入射した光を第１方向に出射する第１導光板１２０及び光源から入射した光を第２方向に出射する第２導光板１３０を含む。ここで、第１導光板と第２導光板の入射面の厚さは、両方向に出射される光量の比率によって互いに異なるように形成される。従って、第１方向及び第２方向に出射される光量の比率を容易に制御することができる。【選択図】    図２
2005056828.tif 000002
【特許請求の範囲】
【請求項１】
光を発生する光源と、
前記光源から発生された光が入射する第１入射面を有し、前記第１入射面は第１厚さで形成される第１導光板と、
前記光源から発生された光が入射する第２入射面を有し、前記第２入射面は前記第１厚さとは異なる第２厚さで形成される第２導光板と、
前記第１導光板と前記第２導光板との間に介在される反射板と、を含む両方向バックライトアセンブリ。
【請求項２】
前記第１厚さは、前記第２厚さより厚いことを特徴とする請求項１記載の両方向バックライトアセンブリ。
【請求項３】
前記第１厚さは、前記第２厚さより薄いことを特徴とする請求項１記載の両方向バックライトアセンブリ。
【請求項４】
前記光源の厚さは、前記第１厚さと前記第２厚さを合わせた第３厚さと一致することを特徴とする請求項１記載の両方向バックライトアセンブリ。
【請求項５】
前記光源は、前記第１入射面及び前記第２入射面に対面させて配置される少なくとも一つの発光ダイオードであることを特徴とする請求項１記載の両方向バックライトアセンブリ。
【請求項６】
前記第１導光板は、
前記第１入射面を含む４つの側面と、
前記第１入射面に入射した光を第１方向に出射する第１出射面と、
前記第１出射面と向かい合う第１反射面と、で構成されることを特徴とする請求項１記載の両方向バックライトアセンブリ。
【請求項７】
前記第２導光板は、
前記第２入射面を含む４つの側面と、
前記第２入射面に入射した光を、前記第１方向とは反対である第２方向に出射する第２出射面と、
前記第２出射面と向かい合う第２反射面と、で構成されることを特徴とする請求項６記載の両方向バックライトアセンブリ。
【請求項８】
前記反射板は、前記第１反射面と前記第２反射面との間に配置されることを特徴とする請求項７記載の両方向バックライトアセンブリ。
【請求項９】
前記第１出射面上に配置され前記第１方向に出射される光の輝度特性を向上させるための第１光学部材と、
前記第２出射面上に配置され前記第２方向に出射される光の輝度特性を向上させるための第２光学部材と、を更に含むことを特徴とする請求項７記載の両方向バックライトアセンブリ。
【請求項１０】
前記光源と前記第１導光板を固定するための第１収納容器と、
前記第１収納容器と結合されて前記光源と前記第１導光板を収納し、前記第２導光板の位置に対応して開口部を有する第２収納容器と、
前記開口部に対応して結合され、前記第２導光板と前記第２光学部材を固定するための第３収納容器と、を更に含むことを特徴とする請求項９記載の両方向バックライトアセンブリ。
【請求項１１】
光を発生する光源と、
前記光源から発生された光が入射する第１入射面を有し、前記第１入射面は第１厚さで形成される第１導光板と、
前記光源から発生された光が入射する第２入射面を有し、前記第２入射面は第２厚さで形成される第２導光板と、
前記第１導光板と前記第２導光板との間に介在される反射板と、を含み、
前記光源の位置が、前記第１導光板と前記第２導光板に対し異なる光出射比率を与えるようになっていることを特徴とする両方向バックライトアセンブリ。
【請求項１２】
前記第１厚さと前記第２厚さは、同じであることを特徴とする請求項１１記載の両方向バックライトアセンブリ。
【請求項１３】
前記光源は、少なくとも一つの発光ダイオードであることを特徴とする請求項１１記載の両方向バックライトアセンブリ。
【請求項１４】
前記光源は、前記第１入射面全体及び前記第２入射面の一部に面するように配置され、前記第１導光板により多い光を供給することを特徴とする請求項１１記載の両方向バックライトアセンブリ。
【請求項１５】
前記光源は、前記第１入射面の一部及び前記第２入射面全体に面するように配置され、前記第２導光板により多い光を供給することを特徴とする請求項１１記載の両方向バックライトアセンブリ。
【請求項１６】
前記第１導光板は、前記第１入射面を含む４つの側面、前記第１入射面に入射した光を第１方向に出射する第１出射面、及び第１出射面と向かい合う第１反射面で構成され、
前記第２導光板は、前記第２入射面を含む４つの側面、前記第２入射面に入射した光を前記第１方向とは反対である第２方向に出射する第２出射面、及び前記第２出射面と向かい合う第２反射面で構成されることを特徴とする請求項１１記載の両方向バックライトアセンブリ。
【請求項１７】
前記第１出射面上に配置され前記第１方向に出射される光の輝度特性を向上させるための第１光学部材と、
前記第２出射面上に配置され前記第２方向に出射される光の輝度特性を向上させるための第２光学部材と、を更に含むことを特徴とする請求項１６記載の両方向バックライトアセンブリ。
【請求項１８】
前記光源の位置を調節できる構成としたことを特徴とする請求項１１記載の両方向バックライトアセンブリ。
【請求項１９】
光を発生する光源と、前記光源から入射した光を第１方向に出射し、第１厚さを有する第１導光板と、前記光源から入射した光を前記第１方向とは反対である第２方向に出射し、前記第１厚さと異なる第２厚さを有する第２導光板、及び前記第１導光板と前記第２導光板との間に介在される反射板を含むバックライトアセンブリと、
前記第１方向に出射される光を用いて画像を表示する第１ディスプレイユニットと、
前記第２方向に出射される光を用いて画像を表示する第２ディスプレイユニットと、を含む両方向液晶表示装置。
【請求項２０】
前記第１導光板の前記第１厚さは、前記第２導光板の前記第２厚さより厚いことを特徴とする請求項１９記載の両方向液晶表示装置。
【請求項２１】
前記第１導光板の前記第１厚さは、前記第２導光板の前記第２厚さより薄いことを特徴とする請求項１９記載の両方向液晶表示装置。
【請求項２２】
前記バックライトアセンブリは、
前記第１導光板と前記第１ディスプレイユニットとの間に配置され前記第１方向に出射される光の輝度特性を向上させるための第１光学部材と、
前記第２導光板と前記第２ディスプレイユニットとの間に配置され前記第２方向に出射される光の輝度特性を向上させるための第２光学部材と、を更に含むことを特徴とする請求項１９記載の両方向液晶表示装置。
【請求項２３】
前記バックライトアセンブリは、
前記光源と前記第１導光板の装着位置を決定し、また前記第１ディスプレイユニットが装着される第１収納容器と、
前記第１収納容器と結合されて前記光源と前記第１導光板を収納し、前記第２導光板の位置に対応して形成された開口部を有する第２収納容器と、
前記開口部に対応して前記第２収納容器に結合され、前記第２ディスプレイユニットが装着される第２収納容器と、を更に含むことを特徴とする請求項２２記載の両方向液晶表示装置。
【請求項２４】
光を発生する光源と、前記光が入射する第１入射面を有する第１導光板と、前記光が入射する第２入射面を有する第２導光板、及び前記第１導光板と前記第２導光板との間に介在される反射板を含み、前記光源の位置が前記第１導光板と前記第２導光板に対し異なる光出射比率を与えるようになっている両方向バックライトアセンブリと、
前記第１導光板から出射される光を用いて画像を表示する第１ディスプレイユニットと、
前記第２導光板から出射される光を用いて画像を表示する第２ディスプレイユニットと、を含む両方向液晶表示装置。
【請求項２５】
前記光源は、前記第１入射面全体及び前記第２入射面の一部に面するように配置され、前記第１導光板により多い光を供給することを特徴とする請求項２４記載の両方向液晶表示装置。
【請求項２６】
前記光源は、前記第１入射面の一部及び前記第２入射面の全体に面するように配置され、前記第２導光板により多い光を供給することを特徴とする請求項２４記載の両方向液晶表示装置。
【請求項２７】
前記光源の位置を調節できる構成としたことを特徴とする請求項２４記載の両方向液晶表示装置。
【発明の詳細な説明】
【技術分野】
【０００１】
本発明は、両方向バックライトアセンブリ及びこれを用いた両方向液晶表示装置に関し、より詳細には、光源から発生した光を互いに異なる２つの方向に供給して、互いに異なる２つの方向で情報をディスプレイすることができる両方向バックライトアセンブリ及びこれを用いた両方向液晶表示装置に関するものである。
【背景技術】
【０００２】
一般に、液晶表示装置は、電界の強度によって光透過率を変更させる液晶を用いて、ディスプレイを行う装置と定義することができる。このような液晶表示装置は、薄い厚さを有する平板タイプの表示装置を具現することができる長所を有する。
【０００３】
このような長所を有する液晶表示装置は、携帯電話のような通信装置及び携帯用コンピュータ、又はデスクトップ用コンピュータのディスプレイ装置として広く用いられており、一般的に一方向にのみ画像をディスプレイすることが一般的なものであった。
【０００４】
しかし、最近ではユーザの多様な要求に対応して、液晶表示装置が一方向にのみ画像をディスプレイすることから脱皮して、両方向に同じ画像又は互いに異なる画像をディスプレイするための両方向液晶表示装置についての技術開発が進行している。
【０００５】
このような両方向液晶表示装置は、第１方向に第１画像を表示するための第１ディスプレイユニットと、前記第１方向と反対である第２方向に第２画像を表示するための第２ディスプレイユニット、及び前記第１ディスプレイユニットと前記第２ディスプレイユニットに光を供給するために両方向に光を出射する両方向バックライトアセンブリを構成要素として有する。
【０００６】
前記両方向バックライトアセンブリは、光を発生する光源と、前記光源から入射した光を前記第１方向に出射するための第１導光板と、前記光源から入射した光を前記第２方向に出射するもので、前記第１導光板と同じ厚さを有する第２導光板、及び前記第１導光板と前記第２導光板との間に介在される反射板で構成される。
【０００７】
このような構成を有する両方向バックライトアセンブリは、一つの光源から入射された光を互いに異なる両方向に分離して出射するだけであり、両方向に出射される光量の比率を調節することができる機能は全く有していない。
【０００８】
しかし、最近両方向液晶表示装置は、それぞれの用途によって前記第１ディスプレイユニットと前記第２ディスプレイユニットに要求される明るさが互いに異なるので、それぞれの要求特性に合うように、両方向バックライトアセンブリから両方向に出射される光量の比率を制御することができる技術開発が要求されている。
【発明の開示】
【発明が解決しようとする課題】
【０００９】
従って、本発明は、このような要求を勘案したものであって、本発明の目的は、両方向に出射される光量の比率を制御することができる両方向バックライトアセンブリを提供することにある。
【００１０】
本発明の他の目的は、両方向に出射される光量の比率を制御することができる両方向バックライトアセンブリを用いて、両方向に情報をディスプレイすることができる両方向液晶表示装置を提供することにある。
【課題を解決するための手段】
【００１１】
前述した本発明の目的を達成するための両方向バックライトアセンブリは、光を発生する光源と、前記光源から入射した光の経路を変更して両方向に出射する第１導光板及び第２導光板と、光を反射するための反射板を含む。
【００１２】
前記第１導光板は、前記光源から発生した光の入射を受けるための第１入射面を有し、前記第１入射面は第１厚さを有する。
【００１３】
前記第２導光板は、前記光源から発生した光が入射する第２入射面を有し、前記第２入射面は前記第１厚さと異なる第２厚さで形成される。
【００１４】
前記反射板は、前記第１導光板と前記第２導光板との間に介在され前記第１導光板及び前記第２導光板から漏洩する光を反射する。
【００１５】
又、本発明の目的を達成するための両方向バックライトアセンブリは、光を発生する光源と、前記光源から発生した光の経路を変更して両方向に出射する第１導光板及び第２導光板と、前記第１導光板と第２導光板との間に介在される反射板を含む。
【００１６】
前記第１導光板は、前記光源から発生した光が入射する第１厚さの第１入射面を有し、前記第２導光板は前記光源から発生した光が入射する第２厚さの第２入射面を有する。
【００１７】
ここで、前記光源の位置は、前記第１導光板と前記第２導光板の光出射比率によって変動される。
【００１８】
又、本発明の他の目的を達成するための両方向液晶表示装置は、第１及び第２方向に光を出射する両方向バックライトアセンブリ、第１ディスプレイユニット及び第２ディスプレイユニットを含む。
【００１９】
前記両方向バックライトアセンブリは、光源、第１導光板、第２導光板、及び反射板を具備する。ここで、前記第１導光板は第１厚さを有し、前記第２導光板は前記第１厚さと異なる第２厚さを有する。
【００２０】
前記第１ディスプレイユニットは、前記第１方向に出射される光を用いて画像を表示し、前記第２ディスプレイユニットは、前記第２方向に出射される光を用いて画像を表示する。
【００２１】
又、本発明の他の目的を達成するための両方向液晶表示装置は、光源の位置が光出射比率によって変動される両方向バックライトアセンブリ、第１ディスプレイユニット、及び第２ディスプレイユニットを含む。
【００２２】
前記両方向バックライトアセンブリは、光源、前記光源から発生した光の経路を変更して第１方向に出射する第１導光板と、前記第１方向とは反対である第２方向に出射する第２導光板、及び前記第１導光板と前記第２導光板との間に介在される反射板を含む。
【００２３】
ここで、前記光源は、前記第１方向と前記第２方向に出射される光量の比率によって位置が変動される。
【００２４】
このような両方向バックライトアセンブリ及びこれを用いた両方向液晶表示装置によると、第１方向に光を出射する第１導光板と前記第１方向とは反対である第２方向に光を出射する第２導光板の厚さを異なるように形成するか、光源の位置を変動させることにより、前記第１方向と第２方向に出射される光量の比率を制御することができる。
【発明を実施するための最良の形態】
【００２５】
以下では、添付図面を参照して、本発明の好ましい実施例をより詳細に説明する。
【００２６】
図１は、本発明の第１実施例による両方向バックライトアセンブリを示した概念図である。
【００２７】
図１を参照すると、両方向バックライトアセンブリ１００は、光を発生する光源１１０、光の経路を変更するための第１導光板１２０、第２導光板１３０、及び反射板１４０を具備する。
【００２８】
具体的に、前記光源１１０は、前記第１導光板１２０及び前記第２導光板１３０の一側面に配置されて光を提供する。前記光源１１０は、光を発生する蛍光ランプ又は発光ダイオードで構成され、本実施例では、少なくとも一つの発光ダイオードで構成される。このような光源１１０は光を発生させて前記第１導光板１２０と前記第２導光板１３０に光を提供する。
【００２９】
前記第１導光板１２０は、前記光源１１０から発生した光が入射する第１入射面１２２を含む４つの側面と、前記光源１１０から入射した光を第１方向Ａに出射する第１出射面１２４、及び前記第１出射面１２４と向かい合う第１反射面１２６で構成される。前記第１入射面１２２は、第１厚さＣを有する。
【００３０】
前記第２導光板１３０は、前記第１導光板１２０の第１反射面１２６と対向して配置される。前記第２導光板１３０は、前記光源１１０から発生した光が入射する第２入射面１３２を含む４つの側面と、前記光源１１０から入射した光を前記第１方向Ａとは反対である第２方向Ｂに出射する第２出射面１３４、及び前記第２出射面１３４と向かい合う第２反射面１３６で構成される。前記第２入射面１３２は前記第１厚さＣより薄い第２厚さＤを有するように形成される。
【００３１】
前記反射板１４０は、前記第１導光板１２０と前記第２導光板１３０との間に介在して前記第１導光板１２０と前記第２導光板１３０から漏洩する光を反射させる。具体的に、前記反射板１４０は、前記第１導光板１２０の第１反射面１２６と前記第２導光板１３０の第２反射面１３６との間に配置される。このような前記反射板１４０は、前記第１入射面１２２に入射した光のうち、前記第１反射面１２６を通じて漏洩する光を前記第１出射面１２４方向に反射させる。又、前記反射板１４０は、前記第２入射面１３２に入射した光のうち、前記第２反射面１３６を通じて漏洩する光を前記第２出射面１３４方向に反射させる。
【００３２】
又、前記両方向バックライトアセンブリ１００は、前記第１導光板１２０の第１出射面１２４上に配置される第１光学部材１５０と、前記第２導光板１３０の第２出射面１３４上に配置される第２光学部材１６０を更に含む。
【００３３】
前記第１光学部材１５０は、光を拡散する拡散シートと光を集光する少なくとも１枚のプリズムシートで構成され、前記第１方向Ａに出射される光の輝度と視野角を向上させる役割を行う。前記第２光学部材１６０は、拡散シートと少なくとも１枚のプリズムシートで構成され、前記第２方向Ｂに出射される光の輝度と視野角を向上させる役割を行う。
【００３４】
このような本発明の第１実施例による両方向バックライトアセンブリ１００は、前記第１導光板１２０の第１厚さＣが前記第２導光板１３０の第２厚さＤより厚く形成され、前記光源１１０の厚さは前記第１厚さＣと前記第２厚さＤを合わせる第３厚さＥと一致する。従って、前記第１導光板１２０は、前記光源１１０から前記第２導光板１３０より多い光の提供を受け、前記第１方向Ａに前記第２方向Ｂより多い光を出射する。
【００３５】
一方、前記第２導光板１３０は、前記第１導光板１２０と同じサイズを有することができるが、製品の用途によって変化が可能であり、本実施例では、前記第１導光板１２０よりは小さいサイズを有して光が入射する前記第１入射面１２２と前記第２入射面１３２が平行に位置するように配置される。
【００３６】
図２は、図１に図示された両方向バックライトアセンブリを具体的に示した分解斜視図である。
【００３７】
図２を参照すると、本発明の第１実施例による両方向バックライトアセンブリ１００は、前記光源１１０と前記第１導光板１２０を固定するための第１収納容器２１０と、前記第１収納容器２１０と結合されて前記光源１１０と前記第１導光板１２０を収納する第２収納容器２２０、及び前記第２導光板１３０を固定するための第３収納容器２３０を更に具備する。
【００３８】
具体的に、前記第１収納容器２１０と前記第２収納容器２２０が結合して形成された収納空間には、前記反射板１４０、前記第１導光板１２０、及び前記第１光学部材１５０が順次装着される。
【００３９】
前記第２収納容器２２０には、前記第２導光板１３０の位置に対応して開口部２２４が形成され、前記第３収納容器２３０は、前記開口部２２４に「対応して」前記第２収納容器２２０と結合される。ここで用いた「対応して」との用語は、第３収納容器２３０が、開口部２２４に収容された第２導光版１３０とそれに重ねられる第２光学部材が、第３収納容器により保持され該第３収納容器に設けられた開口から離脱しないような形状を有することを意味する。前記第２収納容器２２０と前記第３収納容器２３０が結合して形成された収納空間には、前記第２導光板１３０と前記第２光学部材１６０が装着される。
【００４０】
一方、前記光源１１０は、前記第１収納容器２１０の一側面に装着されて前記第１導光板１２０と前記第２導光板１３０に光を提供する。
【００４１】
図３は、図２に図示された光源を具体的に示した斜視図である。
【００４２】
図３を参照すると、光源１１０は多数の発光ダイオードで構成され、前記多数の発光ダイオード１１０は可撓性印刷回路基板（Ｆｌｅｘｉｂｌｅ  Ｐｒｉｎｔｅｄ  Ｃｉｒｃｕｉｔ：ＦＰＣ）１１２上に平行に固定される。
【００４３】
前記可撓性印刷回路基板１１２は、ベース基板１１４と前記ベース基板１１４上に形成された導電線１１６を有する。前記発光ダイオード１１０は、前記ベース基板１１４に直列方式で実装される。前記導電線１１６は、外部から提供されるランプ駆動電圧を前記発光ダイオード１１０に印加する役割を行う。このために、前記導電線１１６は、２つの導電ラインで構成され、複数の発光ダイオード１１０に直列方式で連結されて前記複数の発光ダイオード１１０に電力を供給する。
【００４４】
このように、複数の発光ダイオード１１０は、前記可撓性印刷回路基板１１２に実装された後、前記第１収納容器２１０の一側に装着される。
【００４５】
図４は、図２に図示された第２収納容器を具体的に示した斜視図である。
【００４６】
図４を参照すると、前記第２収納容器２２０は、第１乃至第４側壁２２６ａ、２２６ｂ、２２６ｃ、２２６ｄと底壁２２２で構成される。前記第２収納容器２２０は、前記第１乃至第４側壁２２６ａ、２２６ｂ、２２６ｃ、２２６ｄに形成されたフック部２２７を通じて前記第１収納容器２１０と結合される。
【００４７】
前記底壁２２２には、前記第２導光板１３０に対応して開口部２２４が形成される。前記開口部２２４には、前記第２導光板１３０が装填される。前記第１側壁２２６ａと前記開口部２２４との間には、前記光源１１０を収納するための収納溝２２８が形成される。前記収納溝２２８は、前記底壁２２２から外側方向に突出するよう形成され、前記収納溝２２８の厚さＦは、前記第２導光板１３０の第２厚さＤと一致するように形成される。
【００４８】
このような構成を有する本発明の第１実施例による両方向バックライトアセンブリ１００は、前記第１導光板１２０の第１厚さＣを前記第２導光板１３０の第２厚さＤより厚く形成し、前記第１方向Ａに出射される光量が前記第２方向Ｂに出射される光量より多くなるように制御する。
【００４９】
図５は、本発明の第２実施例による両方向バックライトアセンブリを示した概念図である。本実施例で第１導光板及び第２導光板を除いた残りの構成は、第１実施例と同じなので、その重複説明は省略し、第１実施例と同じ部分については、同じ符号及び名称を使用する。
【００５０】
図５を参照すると、本発明の第２実施例による両方向バックライトアセンブリ３００は、光を発生する光源１１０、光の経路を変更するための第１導光板３１０、第２導光板３２０、及び反射板１４０を具備する。
【００５１】
具体的に、前記光源１１０は、前記第１導光板３１０及び前記第２導光板３２０の一側面に配置されて、前記第１導光板３１０及び前記第２導光板３２０に光を提供する。
【００５２】
前記第１導光板３１０は、前記光源１１０から発生した光が入射する第１入射面３１２を含む４つの側面と、前記光源１１０から入射した光を第１方向Ａに出射する第１出射面３１４、及び前記第１出射面３１４と向かい合う第１反射面３１６で構成される。前記第１入射面３１２は第１厚さＣを有する。
【００５３】
前記第２導光板３２０は、前記第１導光板３１０の第１反射面３１６と対向して配置される。前記第２導光板３２０は、前記光源１１０から発生した光が入射する第２入射面３２２を含む４つの側面と、前記光源１１０から入射した光を前記第１方向Ａと反対である第２方向Ｂに出射する第２出射面３２４、及び前記第２出射面３２４と向かい合う第２反射面３２６で構成される。前記第２入射面３２２は、前記第１厚さＣより厚い第２厚さＤを有する。
【００５４】
前記反射板１４０は、前記第１導光板３１０と前記第２導光板３２０との間に介在して前記第１導光板３１０と前記第２導光板３２０から漏洩する光を反射させる。
【００５５】
又、前記両方向バックライトアセンブリ３００は、前記第１導光板３１０の第１出射面３１４上に配置され、前記第１方向Ａに出射される光の輝度と視野角を向上させる第１光学部材１５０と、前記第２導光板３１０の第２出射面３２４上に配置されて前記第２方向Ｂに出射される光の輝度と視野角を向上させる第２光学部材１６０を更に含む。
【００５６】
このような本発明の第２実施例による両方向バックライトアセンブリ３００は、前記第１導光板３１０の第１厚さＣが前記第２導光板３２０の第２厚さＤより薄く形成され、前記光源１１０の厚さは、前記第１厚さＣと前記第２厚さＤを合わせる第３厚さＥと一致する。従って、前記第２導光板３２０は、前記光源１１０から前記第１導光板３１０より多い光の提供を受け、前記第２方向Ｂに前記第１方向Ａより多い光を出射する。
【００５７】
このように、本発明の第１実施例と第２実施例による両方向バックライトアセンブリは、第１導光板と第２導光板の厚さを異なるようにすることにより、両方向に出射される光量の比率を制御する。
【００５８】
一方、両方向バックライトアセンブリの第１導光板と第２導光板の厚さが同じ場合、光源の位置を変動することにより、両方向に出射される光量の比率を制御することができる。
【００５９】
図６は、本発明の第３実施例による両方向バックライトアセンブリを示した概念図である。
【００６０】
図６を参照すると、本発明の第３実施例による両方向バックライトアセンブリ４００は、光を発生する光源１１０、光の経路を変更するための第１導光板４１０、第２導光板４２０、及び反射板１４０を具備する。
【００６１】
前記第１導光板４１０は、前記光源１１０から発生した光が入射する第１入射面４１２を含む４つの側面と、前記光源１１０から入射した光を第１方向Ａに出射する第１出射面４１４、及び前記第１出射面４１４と向かい合う第１反射面４１６で構成される。前記第１入射面４１２は第１厚さＣを有する。
【００６２】
前記第２導光板４２０は、前記第１導光板４１０の第１反射面４１６と対向して配置される。前記第２導光板４２０は、前記光源１１０から発生した光が入射する第２入射面４２２を含む４つの側面と、前記光源１１０から入射した光を前記第１方向Ａと反対である第２方向Ｂに出射する第２出射面４２４、及び前記第２出射面４２４と向かい合う第２反射面４２６で構成される。前記第２入射面４２２は前記第１厚さＣと同じ第２厚さＤを有する。
【００６３】
前記反射板１４０は、前記第１導光板４１０と前記第２導光板４２０との間に介在して前記第１導光板４１０と前記第２導光板４２０から漏洩する光を反射させる。
【００６４】
ここで、前記光源１１０は前記第１厚さＣと前記第２厚さＤを合わせた厚さと同じ第３厚さＥを有し、前記第１入射面４１２全体及び前記第２入射面４２２の一部と対応されるように配置される。
【００６５】
又、前記両方向バックライトアセンブリ４００は、前記第１導光板４１０の第１出射面４１４上に配置されて前記第１方向Ａに出射される光の輝度と視野角を向上させる第１光学部材１５０と、前記第２導光板４１０の第２出射面４２４上に配置され、前記第２方向Ｂに出射される光の輝度と視野角を向上させる第２光学部材１６０を更に含む。
【００６６】
このような構成を有する本発明の第３実施例による両方向バックライトアセンブリ４００は、前記第１導光板４１０が前記第２導光板４２０より前記光源１１０から多い量の光の提供を受け、前記第１方向Ａに前記第２方向Ｂより多い量の光を出射する。
【００６７】
図７は、本発明の第４実施例による両方向バックライトアセンブリを示した概念図である。本実施例では、光源の位置を除いた残りの構成は、第３実施例と同じなので、その重複説明は省略し、第３実施例と同じ部分については、同じ符号及び名称を使用する。
【００６８】
図７を参照すると、本発明の第４実施例による両方向バックライトアセンブリ５００は、光を発生する光源１１０、光の経路を変更するための第１導光板４１０、第２導光板４２０、及び反射板１４０を具備する。
【００６９】
前記光源１１０は、前記第１厚さＣと前記第２厚さＤを合わせた厚さと同じ第３厚さＥを有し、前記第１入射面４１２の一部及び前記第２入射面４２２全体と対応されるように配置される。
【００７０】
このような構成を有する本発明の第４実施例による両方向バックライトアセンブリ５００は、前記第２導光板４２０が前記第１導光板４１０より前記光源１１０から多い量の光の提供を受け、前記第２方向Ｂに前記第１方向Ａより多い量の光を出射する。
【００７１】
このように、本発明の第３実施例及び第４実施例による両方向バックライトアセンブリは、光源の位置のみを変動させることにより、両方向に出射される光量の比率を制御することができる。
【００７２】
一方、前述した本発明の第１乃至第４実施例による両方向バックライトアセンブリには、２つのディスプレイユニットが結合されて両方向液晶表示装置を構成する。以下、両方向液晶表示装置の構成要素である両方向バックライトアセンブリは前述したので、その重複説明は省略する。又、両方向バックライトアセンブリを説明する過程で用いられた用語及び符号はそのまま使用する。
【００７３】
図８は、本発明の一実施例による両方向液晶表示装置を図示した分解斜視図であり、図９は、図８に図示された第１ディスプレイユニットを示した斜視図である。
【００７４】
図８及び図９を参照すると、本発明の一実施例による両方向液晶表示装置８００は、第１ディスプレイユニット８１０、第２ディスプレイユニット８２０、及び図１で説明した両方向バックライトアセンブリ１００を含む。
【００７５】
前記第１ディスプレイユニット８１０は、前記第１収納容器２１０に装着され、前記第１導光板１２０の第１出射面１２４から出射され前記第１光学部材１５０を通過した第１方向Ａの光を用いて画像をディスプレイする。
【００７６】
具体的に、前記第１ディスプレイユニット８１０は、液晶表示パネル８１４、駆動チップ８１６、及び可撓性回路部８１８を含む。
【００７７】
前記液晶表示パネル８１４は、第１基板８１１、前記第１基板８１１と向かい合う第２基板８１２、及び前記第１基板８１１と第２基板８１２との間に介在する液晶層（図示せず）で構成される。
【００７８】
前記第１基板８１１には、多数の画素（図示せず）がマトリックス形態に具備され、前記多数の画素のそれぞれは、第１方向に延長したゲートライン（図示せず）及び前記第１方向と直交する第２方向に延長して前記ゲートラインと絶縁され交差するデータライン（図示せず）を具備する。又、前記各画素には薄膜トランジスタ（Ｔｈｉｎ  Ｆｉｌｍ  Ｔｒａｎｓｉｓｔｏｒ：以下、ＴＦＴ；図示せず）が形成されて、前記ゲートライン及びデータラインに連結される。
【００７９】
前記第１基板８１１の一側には、前記データライン及び前記ゲートラインに駆動信号を印加するための駆動チップ８１６が実装される。このような駆動チップ８１６は、データライン用チップとゲートライン用チップに分離された二つ以上のチップで構成されるか、これを統合した一つのチップで構成されることができ、ＣＯＧ（Ｃｈｉｐ  Ｏｎ  Ｇｌａｓｓ）工程によって前記第１基板８１１の一側に実装される。
【００８０】
又、前記駆動チップ８１６が実装された前記第１基板８１１の一側には、前記駆動チップ８１６を制御するための制御信号を印加するために、可撓性回路部８１８が付着される。このような可撓性回路部８１８には、駆動信号のタイミングを調節するためのタイミングコントローラやデータ信号を保存するためのメモリ等が実装され、異方性導電フィルムを介して前記第１基板８１１と電気的に連結される。
【００８１】
前記第２ディスプレイユニット８２０は、前記第３収納容器２３０に装着され、前記第２導光板１３０の第２出射面１３４から出射されて前記第２光学部材１６０を通過した第２方向Ｂの光を用いて画像をディスプレイする。ここで、前記第２ディスプレイユニット８２０は、前記第１ディスプレイユニット８１０と同じ構成を有するので、重複説明は省略する。
【００８２】
一方、前記第１ディスプレイユニット８１０のディスプレイ面積と前記第２ディスプレイユニット８２０のディスプレイ面積は、同一に設定することもできるが、図８に示したように第１ディスプレイユニット８１０のディスプレイ面積と第２ディスプレイユニット８２０のディスプレイ面積は互いに異なるように構成することができる。
【００８３】
本発明では、好ましい一実施例として第１ディスプレイユニット８１０のディスプレイ面積が第２ディスプレイユニット８２０のディスプレイ面積より大きく設定される。
【００８４】
前記両方向液晶表示装置８００は、前記第１ディスプレイユニット８１０が前記両方向バックライトアセンブリ１００から離脱されることを防止するための第１シャーシ（フレーム）８３０と、前記第２ディスプレイユニット８２０が前記両方向バックライトアセンブリ１００から離脱されることを防止するための第２シャーシ（フレーム）８４０を更に含む。
【００８５】
ところで、本実施例では、図２に図示された第１実施例による両方向バックライトアセンブリ１００を構成要素として有する両方向液晶表示装置を例示して説明したが、本発明による両方向液晶表示装置は、前述した第２乃至第４実施例による両方向バックライトアセンブリ３００、４００、５００を構成要素として含むことができる。
【００８６】
又、前記第３及び第４実施例による両方向バックライトアセンブリ４００、５００を含む両方向液晶表示装置では、前記第１ディスプレイユニット８１０と前記第２ディスプレイユニット８２０で要求される輝度比率によって光源１１０の位置が移動される。
【００８７】
一例として、前記両方向液晶表示装置がデューアル携帯電話のような移動通信端末機に採用された場合、前記第１ディスプレイユニット８１０と前記第２ディスプレイユニット８２０は、使用環境によって要求される輝度が変わり得る。即ち、携帯電話を使用しない平常時には、前記第２ディスプレイユニット８２０が外部に露出されるので、前記第２ディスプレイユニット８２０の輝度が前記第１ディスプレイユニット８１０の輝度より高い必要がある。反面、携帯電話を使用するために、フォルダー（折りたたみ部；図示せず）を開く場合には、前記第１ディスプレイユニット８１０が外部に露出されるので、前記第１ディスプレイユニット８１０の輝度が前記第２ディスプレイユニット８２０の輝度より高い必要がある。
【００８８】
このために、携帯電話を使用しない平常時には、前記第４実施例による両方向バックライトアセンブリ５００のように、光源１１０の位置が第２導光板１３０（符号は図８におけるもの）方向に移動されなければならず、携帯電話を使用するためにフォルダーを開いた場合には、前記第３実施例による両方向バックライトアセンブリ４００のように、光源１１０の位置が第１導光板１２０（符号は図8におけるもの）方向に移動されなければならない。
【００８９】
このような光源１１０位置の移動は、前記フォルダーに連結されているヒンジ部（図示せず）により行うことができる。即ち、前記ヒンジ部の一部を、前記光源１１０を固定する前記可撓性印刷回路基板１１２と連結し、前記ヒンジ部の回転によって前記光源１１０の位置が移動されるようにすることができる。
【産業上の利用可能性】
【００９０】
このような両方向バックライトアセンブリ及びこれを用いた両方向液晶表示装置によると、第１方向に光を出射する第１導光板と第２方向に光を出射する第２導光板の厚さを互いに異なるように構成することにより、両方向に出射される光量の比率を制御することができる。
【００９１】
又、第１導光板と第２導光板の厚さが同じ場合、光源の位置を変動することにより、両方向に出射される光量の比率を制御することができる。
【００９２】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００９３】
【図１】本発明の第１実施例による両方向バックライトアセンブリを示した概念図である。
【図２】図１に図示された両方向バックライトアセンブリを具体的に示した分解斜視図である。
【図３】図２に図示された光源を具体的に示した斜視図である。
【図４】図２に図示された第２収納容器を具体的に示した斜視図である。
【図５】本発明の第２実施例による両方向バックライトアセンブリを示した概念図である。
【図６】本発明の第３実施例による両方向バックライトアセンブリを示した概念図である。
【図７】本発明の第４実施例による両方向バックライトアセンブリを示した概念図である。
【図８】本発明の一実施例による両方向液晶表示装置を示した分解斜視図である。
【図９】図８に図示された第１ディスプレイユニットを示した斜視図である。
【符号の説明】
【００９４】
１００    両方向バックライトアセンブリ
１１０    光源
１２０    第１導光板
１３０    第２導光板
１４０    反射板
１５０    第１光学部材
１６０    第２光学部材
２１０    第１収納容器
２２０    第２収納容器
２３０    第３収納容器
８１０    第１ディスプレイユニット
８２０    第２ディスプレイユニット
【図１】
2005056828.tif 000003
【図２】
2005056828.tif 000004
【図３】
2005056828.tif 000005
【図４】
2005056828.tif 000006
【図５】
2005056828.tif 000007
【図６】
2005056828.tif 000008
【図７】
2005056828.tif 000009
【図８】
2005056828.tif 000010
【図９】
2005056828.tif 000011